(57)【要約】【課題】  住宅の軒先の改修時に既設の竪樋と簡単に接続することができる竪樋継手を提供することを目的とする。【解決手段】両端部に受け口１Ａ、２Ａが形成された竪樋継手において、受け口１Ａ、２Ａは外筒体１の内側に内筒体２を設けて挿入間隙４１、４２が形成され、一端部の受け口１Ａの挿入間隙４１は外筒体１１の内周面がテーパー状に先拡がりに形成されている。また、他端部の挿入間隙４２を有する受け口２Ｂが外筒体１２の内側に螺着により挿脱可能に形成されている。【選択図】      図２  
2005083133.tif 000002
【特許請求の範囲】
【請求項１】
両端部に受け口が形成された竪樋継手において、受け口は外筒体の内側に内筒体を設けて挿入間隙が形成され、一端部の受け口の挿入間隙は外筒体の内周面がテーパー状に先拡がりに形成されていることを特徴とする竪樋継手。
【請求項２】
他端部の受け口は、内筒体が外筒体の内側に挿脱可能に螺着されて形成されていることを特徴とする請求項１記載の竪樋継手。
【発明の詳細な説明】
【技術分野】
【０００１】
本発明は、竪樋の端部を相互に嵌合接続する竪樋継手に関する。
【背景技術】
【０００２】
従来の竪樋継手としては、外筒体に内側に内筒体を設けて、上下両端部における両者間に挿入間隙を形成してなるものが知られている。この竪樋継手においては上下両端部の挿入間隙にそれぞれ竪樋の端部が挿入嵌合されて、この両竪樋の端部が相互に接続されるものである。（例えば、特許文献１を参照。）。
【０００３】
このような従来の竪樋継手を使用して竪樋を接続するには、図８に示すように示すように、家屋の屋根部の軒樋ａに接続した竪樋ｂを建物の外壁面ｄに沿って垂下させ、上下の竪樋を竪樋継手ｃで接続し、地中に埋設された排水管ｅに接続する。この場合、竪樋ｂは建物の外壁面ｄに竪樋支持具により取付けられているが、竪樋継手の上下両端部に形成された挿入間隙に同一メーカーの同一規格の竪樋の端部がそれぞれ挿入嵌合され、上下の竪樋の端部が相互に接続されるものである。
【特許文献１】実開平４−４７０２８号公報（第７図）
【発明の開示】
【発明が解決しようとする課題】
【０００４】
ところで、住宅の軒先の改修時に既設の竪樋の一部を取り外して新品の竪樋と交換する等の補修を行うことがことがある。この場合、既設竪樋と同一規格のものを新品の竪樋として用意する必要があるが、既設竪樋と同一規格の竪樋や竪樋継手等の部材に在庫が無いことがある。そのため、既設竪樋と略同じ寸法の新規竪樋を用いて既設竪樋と接続することがある。
【０００５】
しかしながら、新規の竪樋や竪樋継手を用いて改修する場合、新規な竪樋が既設竪樋と外形寸法の規格に類似したものであっても、各メーカーごとに竪樋の外形寸法が異なっていることがあり、新規竪樋と竪樋継手を施工現場に持ち込んで、新規の竪樋継手の挿入間隙に既設の竪樋の端部を挿入嵌合しようとしても挿入ができず、既設の竪樋に新規の竪樋継手を接続することができなかった。
【０００６】
本発明は、このような事情に鑑みて、住宅の軒先の改修時に既設の竪樋と簡単に接続することができる竪樋継手を提供することを目的としている。
【課題を解決するための手段】
【０００７】
このような目的を達成するために、請求項１に記載の発明に係わる竪樋継手（以下、「請求項１の竪樋継手」と記す）は、両端部に受け口が形成された竪樋継手において、受け口は外筒体の内側に内筒体を設けて挿入間隙が形成され、一端部の受け口の挿入間隙は外筒体の内周面がテーパー状に先拡がりに形成されていることを特徴とした。
【０００８】
請求項２に記載の発明に係わる竪樋継手（以下、「請求項２の竪樋継手」と記す）は、請求項１の竪樋継手において、他端部の受け口は、内筒体が外筒体の内側に挿脱可能に螺着されて形成されていることを特徴とした。
【発明の効果】
【０００９】
本発明竪樋継手によれば、両端部に受け口が形成された竪樋継手において、受け口は外筒体の内側に内筒体を設けて挿入間隙が形成され、一端部の受け口の挿入間隙は外筒体の内周面がテーパー状に先拡がりに形成されているので、住宅の軒先の改修時に既設の竪樋と簡単に接続することができる。
【００１０】
また、他端部の受け口は、内筒体が外筒体の内側に挿脱可能に螺着されて形成されていので、竪樋継手の下側の受け口の下端と竪樋の上端との間の接続間隔を調整することができ、施工を簡単に行うことができる。
【発明を実施するための最良の形態】
【００１１】
次に、本発明の実施の形態の一例を、図１〜図７に基づいて説明する。  
【実施例１】
【００１２】
図１〜図３は、本発明竪樋継手の実施の形態における実施例１を説明する図である。  図において、図１は本発明の実施例１における竪樋継手を示す断面図、図２は本発明の実施例１における竪樋継手の使用状態を示し上下の竪樋の接続前の断面図、図３は同じく竪樋継手の使用状態を示し上下の竪樋の接続後の断面図である。
【００１３】
図１において、この竪樋継手Ａは、短管の上下の両端部に受け口１Ａ、２Ａが形成されたもので、外筒体１の内側に内筒体２を設けて、外筒体１と内筒体２とが相互に間隔を開けて結合部３で一体に結合され、両端部に上下の竪樋の端部を挿入する挿入間隙４１、４２を形成している。
【００１４】
上下両端部の受け口１Ａのうち上側の受け口１Ａには、上部外筒体１１の内側に上部内筒体２１を設けて挿入間隙４１が形成されている。この受け口１Ａの挿入間隙４１は上部外筒体１１の内周面１１ａがテーパー状に先拡がりに形成されている。
一方、下側の受け口２Ａには、下部外筒体１２の内側に下部内筒体２２を設けて挿入間隙４２が形成されている。この場合、受け口２Ａの挿入間隙４１は管軸方向に平行となっている。
【００１５】
本実施例において、両側方から接続される上方の竪樋（既設の竪樋）としては、円筒状のものであって外径寸法が６２．０ｍｍで内径寸法が５９．８ｍｍの竪樋１Ｃを用いており、また、下方の竪樋（新規の竪樋）としては、外径寸法が６０．８ｍｍで内径寸法が５８．８ｍｍの竪樋２Ｃを用いた。
【００１６】
上下の竪樋１Ｃ、２Ｃが接続される竪樋継手Ａは、上方の竪樋１Ｃは各メーカーにおいて外径や肉厚の寸法にバラツキがあり、必ずしも上記の寸法のとおりではなく、例えば，呼称６０ｍｍの竪樋では外径寸法は±１．５ｍｍの範囲のバラツキがある。
【００１７】
このような竪樋継手Ａは、図２及び図３に示すようにして竪樋が接続される。
先ず、改修時に取り替えようとする既設の竪樋や竪樋継手を軒先から取り外して、残された既設の上方の竪樋１Ｃの端部に接着剤を塗布して、新規の竪樋継手Ａを配設して竪樋継手Ａの受け口１Ａの挿入間隙４１に竪樋１Ｃの端部を挿入する。
【００１８】
続いて、既設の竪樋１Ｃに取付けられた竪樋継手Ａの下方に新規の竪樋２Ｃを配設して、竪樋継手Ａの下方側から竪樋継手Ａの受け口２Ａの挿入間隙４２に竪樋２Ｃの端部を挿入し接着剤を介して接続する。
【００１９】
このように、既設の竪樋１Ｃと新規な竪樋２Ｃとがそれぞれ外径や肉厚の寸法が異なっていても、図３に示すように、既設の竪樋１Ｃの寸法にバラツキがあっても、竪樋継手Ａの外筒体１１の内周面１１ａがテーパー状に先拡がりとなっているから、新規の竪樋継手Ａの挿入間隙４１に既設の竪樋１Ｃの端部を簡単に挿入することでき、既設の竪樋１Ｃと新規の竪樋２Ｃとを竪樋継手Ａで簡単にかつ外観が見栄えよく接続することができる。
【実施例２】
【００２０】
図４〜図７は、本発明竪樋継手の実施の形態における実施例２を説明する図で、図において、図４は本発明の実施例２における竪樋継手を示す断面図、図５は図４に示した竪樋継手において高さ調整部材を下方に移動した状態を説明する断面図、図６は本発明の実施例２における竪樋継手の使用状態を示し上下の竪樋の接続前の断面図、図７は同じく竪樋継手の使用状態を示し上下の竪樋の接続後の断面図である。
【００２１】
図４において、この竪樋継手Ｂは、実施例２における竪樋継手Ａの上下両端部の受け口１Ｂ、２Ｂのうち、下側の受け口２Ｂは、下部内筒体２２と下部外筒体１２とで形成された挿入間隙４２の部分が高さ調整部材４２ｂとして別体に形成され、下部外筒体１２に螺着により挿脱可能とされているだけであって、その他の構造は実施例１と同じであるので説明は省略する。
【００２２】
高さ調整部材４２ｂは、下部内筒体２２と下部外筒体１２の内側壁部１２１とが上下に分割された結合部３ｂで結合され、下部内筒体２２と下部外筒体１２の内側壁部１２１との間に挿入間隙４２が形成されている。下部外筒体１２の内側壁部１２１の外周面には雄ねじ４３が設けられており、また、下部外筒体１２の外側壁部１２２の内周面には雌ねじ４４が設けられている。
【００２３】
このような竪樋継手Ｂは、図６に示すようにして竪樋が接続される。
先ず、改修時に取り替えようとする既設の竪樋や竪樋継手を軒先から取り外して、残された既設の上方の竪樋１Ｃの端部に、新規の竪樋継手Ｂを配設して竪樋継手Ｂの挿入間隙４１に竪樋１Ｃの端部を挿入する。
【００２４】
続いて、既設の竪樋１Ｃに取り付けられた竪樋継手Ｂの下方に新規の竪樋２Ｃを配設して、竪樋継手Ｂの下方側から竪樋継手Ｂの挿入間隙４２に竪樋２Ｃの端部を挿入して接続する。
【００２５】
このとき，竪樋継手Ｂの下側の受け口２Ｂの下端と竪樋２Ｃの上端との間が開きすぎると接続できないので、高さ調整部材４２ｂの螺着を緩めて受け口２Ｂの下端を下方に移動させ、竪樋２Ｃとの接続高さの調整を行う。
【００２６】
このように、既設の竪樋１Ｃと新規な竪樋２Ｃとがそれぞれ外径や肉厚の寸法が異なっており既設の竪樋１Ｃの寸法にバラツキがあっても、図７に示すように、竪樋継手Ｂの外筒体１１がテーパー状に外拡がりとなっているから、新規の竪樋継手Ｂの挿入間隙４１に既設の竪樋１Ｃの端部を簡単に挿入することでき、既設の竪樋１Ｃと新規の竪樋２Ｃとを竪樋継手Ａで簡単にかつ外観が見栄えよく接続することができる。
また、高さ調整部材４２ｂで竪樋継手Ｂの下側の受け口２Ｂの下端と竪樋２Ｃの上端との間の接続間隔を簡単に調整することができる。
【００２７】
以上、本発明の実施の形態を図面により詳述してきたが、具体的な形態はこの実施の形態に限られものではなく、本発明の要旨を逸脱しない範囲における設計の変更等があっても本発明に含まれる。
【図面の簡単な説明】
【００２８】
【図１】本発明の実施例１における竪樋継手を示す断面図である。
【図２】本発明の実施例１における竪樋継手の使用状態を示し上下の竪樋の接続前の断面図である。
【図３】同上竪樋継手の使用状態を示し上下の竪樋の接続後の断面図である。
【図４】本発明の実施例２における竪樋継手を示す断面図である。
【図５】同上竪樋継手において高さ調整部材の螺着を緩めた状態を示す断面図である。
【図６】本発明の実施例２における竪樋継手の使用状態を示し上下の竪樋の接続前の断面図である。
【図７】同上竪樋継手の使用状態を示し上下の竪樋の接続後の断面図である。
【図８】従来例を説明するための概略説明図である。
【符号の説明】
【００２９】
Ａ、Ｂ          竪樋継手
１              外筒体
２              内筒体
３              結合部
１Ａ、２Ａ      受け口
１１ａ          内周面
４１、４２      挿入間隙
４２ｂ          高さ調整部材
【図１】
2005083133.tif 000003
【図２】
2005083133.tif 000004
【図３】
2005083133.tif 000005
【図４】
2005083133.tif 000006
【図５】
2005083133.tif 000007
【図６】
2005083133.tif 000008
【図７】
2005083133.tif 000009
【図８】
2005083133.tif 000010